(57)【要約】      （修正有）【課題】ラミネート加工されたＩＤカードをスキャナーで読み取った画像から、ＩＤカード全体の画像を切り出すとともに、ラミネート加工の有無を視認することができる画像処理装置及び画像処理方法を提供する。【解決手段】画像処理装置１０は、画像が記録された第１領域及び光透過性を有する第２領域を含む媒体の読取画像が入力される画像入力部１１と、ＩＤカード本体の領域に対応するサイズの情報を記憶する第１記憶部１５と、読取画像からＩＤカード本体のサイズを検出する検出部１２と、検出部１２で検出されたＩＤカード本体のサイズを、第１記憶部１５で記憶されたＩＤカード本体の領域に対応するサイズの情報と比較する比較部１３と、比較部１３で比較した結果に基づいて、読取画像から切り出す画像領域を設定して画像を取得する画像処理部１４と、を有する。【選択図】図１
2014036244.tif 000002
【特許請求の範囲】
【請求項１】
画像が記録された第１領域及び光透過性を有する第２領域を含む媒体の読取画像が入力される画像入力部と、
前記媒体の前記第１領域に対応するサイズの情報を記憶する記憶部と、
前記読取画像から前記媒体の前記第１領域のサイズを検出する検出部と、
前記検出部で検出された前記媒体の前記第１領域のサイズを、前記記憶部で記憶された前記第１領域に対応するサイズの情報と比較する比較部と、
前記比較部で比較した結果に基づいて、前記読取画像から切り出す画像領域を設定して画像データを取得する画像処理部と、
を有することを特徴とする画像処理装置。
【請求項２】
前記画像処理部は、前記画像データのサイズを前記記憶部に記憶された前記第２領域のサイズよりも大きくすることを特徴とする請求項１に記載の画像処理装置。
【請求項３】
前記画像処理部は、取得された前記画像データの輝度レベルを反転させ、輝度レベルを反転させた前記画像データに基づいて、前記画像データのサイズが補正された画像データを取得することを特徴とする請求項２に記載の画像処理装置。
【請求項４】
前記記憶部は、前記画像データと、前記画像処理部で取得された前記画像データのサイズが補正された画像データと、を記憶することを特徴とする請求項３に記載の画像処理装置。
【請求項５】
画像が記録された第１領域及び光透過性を有する第２領域を含む媒体の読取画像が入力される画像入力部と、
輝度レベルを反転させた前記読取画像に基づいて、前記媒体の前記第２領域の輪郭を検出する検出部と、
前記検出部で検出された前記第２領域の輪郭に基づいて前記読取画像から切り出す画像領域を設定して画像データを取得する画像処理部と、
を備えることを特徴とする画像処理装置。
【請求項６】
画像が記録された第１領域及び光透過性を有する第２領域を含む媒体を読み取って読取画像を取得し、
取得された前記読取画像に含まれる前記第１領域のサイズを検出し、
検出された前記第１領域のサイズと記憶された前記第１領域に対応するサイズの情報とを比較し、
比較した結果に基づいて、前記読取画像から切り出す画像領域を設定して画像データを取得することを特徴とする画像処理方法。
【請求項７】
設定される前記画像領域は、前記媒体の前記第２領域のサイズよりも大きくすることを特徴とする請求項６に記載の画像処理方法。
【請求項８】
取得された前記画像データの輝度レベルを反転させ、反転された前記画像データに基づいて、前記画像領域の設定を補正することを特徴とする請求項６または７に記載の画像処理方法。
【発明の詳細な説明】
【技術分野】
【０００１】
本発明は、画像処理装置及び画像処理方法に関する。
【背景技術】
【０００２】
一般に、紙等の印刷物の色落ちや摩耗を防止するため、印刷物の表裏両面に光透過性の高いフィルムを密着させて印刷物を保護するラミネート加工が知られている。ラミネート加工は、身分証明書（以下では、ＩＤカードという）、会員証等の偽造や改ざんを防止する目的からも用いられている。
【０００３】
一方、小切手等の記録媒体に文字を含む画像の読み取り、もしくは記録を行う記録装置（スキャナー付きプリンター）が知られている（例えば、特許文献１参照）。特許文献１に記載の記録装置は、小切手等の記録媒体の使用者の本人確認を行うため、内蔵するスキャナーでＩＤカードを読み取ってその画像を保存する機能を備えている。このような記録装置でラミネート加工されたＩＤカードを読み取る場合、ＩＤカードを覆うフィルムは光透過性が高いので、ＩＤカードの周縁部（フィルム）を含む背景とＩＤカード本体とを容易に識別できる。したがって、スキャナーで読み取った画像から、ＩＤカード本体の画像を切り出して記録（保存）することができる。
【先行技術文献】
【特許文献】
【０００４】
【特許文献１】特開２０１１−３２０２１号公報
【発明の概要】
【発明が解決しようとする課題】
【０００５】
ところで、近年、使用者の本人確認を行う際に、ＩＤカードが偽造又は改ざんされていないことの証として、ラミネート加工されたＩＤカードの本体だけでなく周縁部分（フィルム）を含むＩＤカード全体の画像を取得して、ラミネート加工の有無を確認できるようにしたいというニーズがある。しかしながら、背景を含んでＩＤカードをスキャンした画像において、背景部と周縁部には明暗の差がほとんどなく、ＩＤカードの周縁部分を構成する光透過性の高いフィルムと背景とを識別することは困難である。そのため、スキャンした画像からＩＤカードの画像を切り出す際、周縁部分は背景とみなされてしまい、ＩＤカード本体のみが切り出されてしまうこととなる。このように、ラミネート加工されたＩＤカードをスキャナーで読み取った画像から、周縁部分に沿ってＩＤカード全体の画像を切り出すことは困難であり、取得した画像においてラミネート加工の有無を視認することも困難であるという課題があった。
【課題を解決するための手段】
【０００６】
本発明は、上述の課題の少なくとも一部を解決するためになされたものであり、以下の形態または適用例として実現することが可能である。
【０００７】
本発明の画像処理装置は、画像が記録された第１領域及び光透過性を有する第２領域を含む媒体の読取画像が入力される画像入力部と、前記媒体の前記第１領域に対応するサイズの情報を記憶する記憶部と、前記読取画像から前記媒体の前記第１領域のサイズを検出する検出部と、前記検出部で検出された前記媒体の前記第１領域のサイズを、前記記憶部で記憶された前記第１領域に対応するサイズの情報と比較する比較部と、前記比較部で比較した結果に基づいて、前記読取画像から切り出す画像領域を設定して画像データを取得する画像処理部と、を有することを特徴とする。
【０００８】
本発明の構成によれば、画像処理部は、検出部が検出した媒体の第１領域のサイズと記憶部が記憶する所定のサイズの情報との比較結果に基づいて、読取画像から媒体の画像を切り出す画像領域を設定する。そのため、例えば、検出部が検出した媒体の第１領域のサイズから、媒体がラミネート加工されたＩＤカード等の特定の媒体であると判断される場合に、画像処理部は、ラミネート加工されたＩＤカードの周縁部分（フィルム）である第２領域を含むように、読取画像から切り出す画像領域を設定することが可能となる。これにより、読取画像からラミネート加工されたＩＤカード全体を含む範囲で画像データを取得することが可能となる。一方、特定の媒体ではないと判断された場合は、ラミネート加工された周縁部のサイズを付加することなく画像データを切り出すことができる。これにより、多様なサイズの原稿をスキャンする用途において、特定のサイズの媒体にのみ周縁部を含めて画像データを取得することが可能となる。
【０００９】
また、本発明の画像処理装置では、前記画像処理部は、前記画像データのサイズを前記記憶部に記憶された前記第２領域のサイズよりも大きくすることが好ましい。
【００１０】
本発明の構成によれば、読取画像において検出部が検出した媒体の第１領域のサイズから媒体がラミネート加工されたＩＤカードであると判断される場合に、読取画像から画像処理部が画像データを切り出す画像領域を第２領域よりも広く設定することで、ラミネート加工されたＩＤカード全体を含む範囲で画像データを取得することができる。
【００１１】
また、本発明の画像処理装置では、前記画像処理部は、取得された前記画像データの輝度レベルを反転させ、輝度レベルを反転させた前記画像データに基づいて、前記画像データのサイズが補正された画像データを取得することが好ましい。
【００１２】
本発明の構成によれば、背景が黒の場合は、背景とフィルム部はほとんど黒でありその明暗の差の識別を視認することは困難な一方、反転画像においては、白の明暗の差になるが、一般にその識別は黒よりも視認しやすい。例えば、読取画像の背景が黒色であり、ラミネート加工されたＩＤカードのフィルム部分と背景との識別が困難な場合でも、画像データの輝度レベルを反転させることで、フィルム部分と背景とを識別すること、すなわち、ラミネート加工の有無を視認することが可能となる。したがって、輝度レベルを反転させた画像データに基づいて、読取画像から取得された画像データからＩＤカード全体のサイズに合わせて、サイズが補正された画像データを取得することが可能となる。
【００１３】
また、本発明の画像処理装置では、前記記憶部は、前記画像データと、前記画像処理部で取得された前記画像データのサイズが補正された画像データと、を記憶することが好ましい。
【００１４】
本発明の構成によれば、輝度レベルを反転させたことでラミネート加工の有無を視認することができる画像データと、サイズが補正された画像データとを記憶することで、ＩＤカードに表示された情報とＩＤカードの真贋情報とを併せて記録することができる。
【００１５】
本発明の画像処理装置は、画像が記録された第１領域及び光透過性を有する第２領域を含む媒体の読取画像が入力される画像入力部と、輝度レベルを反転させた前記読取画像に基づいて、前記媒体の前記第２領域の輪郭を検出する検出部と、前記検出部で検出された前記第２領域の輪郭に基づいて前記読取画像から切り出す画像領域を設定して画像データを取得する画像処理部と、備えることを特徴とする。
【００１６】
本発明の構成によれば、例えば、読取画像の背景が黒色であり、ラミネート加工されたＩＤカードのフィルム部分と背景との識別が困難な場合でも、読取画像の輝度レベルを反転させた画像データにおいて、フィルム部分と背景とを識別してＩＤカード全体の輪郭を認識することが可能となる。これにより、ラミネート加工の有無を視認することができる。また、輝度レベルを反転させた画像データにおいて検出部が認識したＩＤカード全体の輪郭に基づいて、読取画像から切り出す画像領域を設定するので、フィルム部分を含むＩＤカード全体の外形とほぼ一致する範囲の画像データを取得することができる。
【００１７】
本発明の画像処理方法は、画像が記録された第１領域及び光透過性を有する第２領域を含む媒体を読み取って読取画像を取得し、取得された前記読取画像に含まれる前記第１領域のサイズを検出し、検出された前記第１領域のサイズと記憶された前記第１領域に対応するサイズの情報とを比較し、比較した結果に基づいて、前記読取画像から切り出す画像領域を設定して画像データを取得することを特徴とする。
【００１８】
本発明の方法によれば、検出された媒体の第１領域のサイズと記憶された所定のサイズの情報との比較結果に基づいて、媒体がラミネート加工されたＩＤカード等の特定の媒体であると判断される場合に、ラミネート加工されたＩＤカードの周縁部分（フィルム）である第２領域を含むように、読取画像から切り出す画像領域を設定することが可能となる。これにより、読取画像からラミネート加工されたＩＤカード全体を含む範囲で画像データを取得することが可能となる。一方、特定の媒体ではないと判断された場合は、ラミネート加工された周縁部のサイズを付加することなく画像データを切り出すことができる。これにより、多様なサイズの原稿をスキャンする用途において、特定のサイズの媒体にのみ周縁部を含めて画像データを取得することが可能となる。
【００１９】
本発明の画像処理方法であって、設定される前記画像領域は、前記媒体の前記第２領域のサイズよりも大きくすることが好ましい。
【００２０】
本発明の方法によれば、読取画像において検出された媒体の第１領域のサイズから媒体がラミネート加工されたＩＤカードであると判断される場合に、読取画像から画像データを切り出す画像領域を第２領域よりも広く設定することで、ラミネート加工されたＩＤカード全体を含む範囲で画像データを切り出すことができる。
【００２１】
本発明の画像処理方法であって、取得された前記画像データの輝度レベルを反転させ、反転された前記画像データに基づいて、前記画像領域の設定を補正することが好ましい。
【００２２】
本発明の方法によれば、背景が黒の場合は、背景とフィルム部はほとんど黒でありその明暗の差の識別を視認することは困難な一方、反転画像においては、白の明暗の差になるが、一般にその識別は黒よりも視認しやすい。例えば、読取画像の背景が黒色であり、ラミネート加工されたＩＤカードのフィルム部分と背景との識別が困難な場合でも、画像データの輝度レベルを反転させることで、フィルム部分と背景とを識別すること、すなわち、ラミネート加工の有無を視認することが可能となる。したがって、輝度レベルを反転させた画像データに基づいて、読取画像から取得された画像データからＩＤカード全体のサイズに合わせて、サイズが補正された画像データを取得することが可能となる。
【図面の簡単な説明】
【００２３】
【図１】本実施形態に係る画像処理装置の概略構成を模式的に示すブロック図。
【図２】本実施形態に係る画像処理装置における画像処理方法を模式的に説明する図。
【図３】本実施形態に係る画像処理装置における画像処理方法を模式的に説明する図。
【図４】変形例１に係る画像処理装置における画像処理方法を模式的に説明する図。
【図５】変形例３に係る記録装置の概略構成を説明する図。
【発明を実施するための形態】
【００２４】
以下に、本発明の一実施形態である画像処理装置及び画像処理方法について図面を参照して説明する。図１は、本実施形態に係る画像処理装置の概略構成を模式的に示すブロック図である。図２及び図３は、本実施形態に係る画像処理装置における画像処理方法を模式的に説明する図である。
【００２５】
＜画像処理装置＞
本実施形態に係る画像処理装置１０の概略構成について、図１及び図２を参照して説明する。本実施形態に係る画像処理装置１０は、サイズ（外形寸法）や形態が異なる媒体について、背景を含んで読み取った画像から媒体の画像を切り出して取得する画像処理装置であって、ラミネート加工されたＩＤカードのように周縁部分が光透過性の高いフィルムで構成された媒体に対して、背景を含んで取得した画像から、周縁部分を含む媒体全体の画像を取得することが可能な画像処理装置である。
【００２６】
図１に示すように、本実施形態に係る画像処理装置１０は、画像処理装置１０の動作を制御する制御部１７と、外部インターフェイス１８とを備えている。画像処理装置１０（制御部１７）は、外部インターフェイス１８を介して、スキャナー２０とホスト装置３０とに接続されている。ホスト装置３０は、例えば、ＰＯＳ端末機やホストコンピューター等である。制御部１７は、ホスト装置３０の制御の下で所定の動作を実行する。なお、スキャナー２０は、ホスト装置３０の制御の下で媒体の画像の読み取りを行う。
【００２７】
制御部１７は、画像入力部１１と、検出部１２と、比較部１３と、画像処理部１４と、記憶部としての第１記憶部１５及び第２記憶部１６と、を有している。制御部１７は、ＣＰＵや、ＲＯＭ、ＲＡＭ、その他の周辺回路等で構成されており、これらによって、画像入力部１１、検出部１２、比較部１３、画像処理部１４、第１記憶部１５、及び第２記憶部１６の各機能が実現されている。なお、第１記憶部１５と第２記憶部１６とは、一つの記憶部が双方の機能を持つ構成であってもよい。
【００２８】
画像入力部１１には、スキャナー２０で読み取られた媒体の読取画像が入力される。スキャナー２０で読み取って得られる読取画像は、背景を含む媒体の表面又は裏面の画像である。対象となる媒体としては、例えばＡ４等の定型紙に印刷された印刷物、小切手、振込用紙、ＩＤカード、運転免許証等があげられる。
【００２９】
検出部１２は、画像入力部１１に入力された読取画像において、背景と媒体とを識別し、媒体の外形に対応する画像領域（例えば、輪郭等）のサイズを検出する。第１記憶部１５には、対象となる媒体それぞれのサイズの情報である定型サイズデータが記憶されている。定型サイズデータとは、例えば、特定の媒体について規格で定められた長辺及び短辺の長さやその公差（閾値）のことである。
【００３０】
比較部１３は、画像入力部１１に入力された読取画像において検出部１２で検出された媒体の外形に対応する画像領域のサイズ（長辺及び短辺の長さ）を、第１記憶部１５に記憶された定型サイズデータと比較する。比較部１３での比較結果に基づいて、画像入力部１１に入力された読取画像に含まれる媒体は、対象とする媒体のうちのどの媒体に該当するかがわかる。
【００３１】
画像処理部１４は、画像入力部１１に入力された読取画像から、背景を含まないように、媒体部分の画像の切り出しを行う。画像処理部１４による媒体部分の画像の切り出しは、例えば、画像入力部１１に入力された読取画像において、検出部１２により検出された媒体の外形に対応する画像領域部分を、第１記憶部１５に記憶された媒体の定型サイズで切り出して、その画像データを取得することにより行われる。画像処理部１４により取得された媒体の画像データは、第２記憶部１６に一旦記憶され、外部インターフェイス１８を介してホスト装置３０に送られる。
【００３２】
ところで、小切手を決済する手続きを行う際には、ＩＤカードの画像データを取得すること等により、使用者の本人確認が行なわれる。ＩＤカードの中には、ラミネート加工が施されたもの、すなわち、光透過性が高いフィルムでＩＤカードの表面及び裏面が覆われたものがある。ラミネート加工は、ＩＤカードの表面の印刷を保護することだけでなく、ＩＤカードの偽造や改ざんを防止することも目的として用いられている。
【００３３】
図２（ａ）に、ラミネート加工されたＩＤカード（図では、身分証明書と表記）の一例であるＩＤカード１を平面視した図を示す。なお、平面視とは、図２（ａ）に示す表面側からＩＤカード１を見ることをいう。図２（ａ）に示すように、ＩＤカード１は、ＩＤカード本体１ａとフィルム１ｂとで構成される。
【００３４】
ＩＤカード本体１ａは、例えば、４つの角が丸く形成された略矩形の平面形状を有している。ＩＤカード本体１ａのサイズ、すなわち、長辺Ａ及び短辺Ｂの長さは規格で定められている。ＩＤカード本体１ａの表面には、例えば、ＩＤカードの所有者本人の写真と、生年月日、登録番号等の情報が印刷されている。なお、ＩＤカード本体１ａの印刷は、一般に、カラー印刷である。
【００３５】
フィルム１ｂは、１対の光透過性を有するフィルムからなる。フィルム１ｂは、平面視でＩＤカード本体１ａよりも一回り（例えば、幅Ｃだけ）大きく、ＩＤカード本体１ａの表面及び裏面を覆って、周縁部分１ｃで互いに密着している。周縁部分１ｃは、平面視でＩＤカード本体１ａの周囲を囲む部分であり、光を透過する。ＩＤカード本体１ａの領域を第１領域とし、周縁部分１ｃの領域を第２領域とすると、ＩＤカード１全体の領域は、第１領域と第２領域とを含んだ領域となる。
【００３６】
ところで、このようなＩＤカード１については、ラミネート加工されていることが、ＩＤカード１が偽造又は改ざんされていないことの証とされる。そのため、ＩＤカード１の使用者の本人確認を行う際に、ＩＤカード本体１ａだけでなくフィルムからなる周縁部分１ｃを含むＩＤカード１全体の画像データを取得して、ラミネート加工の有無を確認できるようにしたいというニーズがある。この、取得した画像においてラミネート加工の有無を視認する構成については、後述する画像形成方法とともに詳述する。
【００３７】
＜画像処理方法＞
次に、本実施形態に係る画像処理装置１０による画像処理方法について、図２及び図３を参照して説明する。ここでは、ラミネート加工されたＩＤカード１を読み取った画像の処理を行う場合について説明する。
【００３８】
まず、スキャナー２０（図１参照）により、図２（ａ）に示すＩＤカード１を背景とともに読み取る。そして、画像入力部１１（図１参照）は、スキャナー２０で読み取った読取画像を取得するステップを実行する。図２（ｂ）に、画像入力部１１で取得した読取画像の一例として、画像２を示す。
【００３９】
図２（ｂ）に示す画像２において、ＩＤカード本体１ａに対応する領域を第１領域２ａといい、周縁部分１ｃに対応する領域を第２領域２ｃという。また、ＩＤカード１全体（フィルム１ｂの外形）に対応する領域を全体領域２ｂという。なお、背景の色は、例えば、黒色である。ここでは、画像２はカラー画像であるものとするが、モノクロ画像であってもよい。
【００４０】
ＩＤカード１の周縁部分１ｃ（第２領域）は光を透過するため、画像２における第２領域２ｃでは、背景が透過して見える。したがって、画像２において、第１領域２ａと第２領域２ｃとを容易に識別できるので、第１領域２ａの輪郭を容易に認識できる。一方、画像２において第２領域２ｃと、第２領域２ｃより外側の背景との識別は困難であるので、第２領域２ｃの輪郭、すなわち、ＩＤカード１全体に対応する全体領域２ｂの輪郭を認識することは困難である。
【００４１】
次に、図２（ｃ）に示すように、検出部１２（図１参照）は、画像入力部１１で取得した画像２において、第１領域２ａと第２領域２ｃとを識別し、第１領域２ａのサイズ（長辺Ａ及び短辺Ｂの長さ）を検出する検出ステップを実行する。
【００４２】
続いて、比較部１３（図１参照）は、検出部１２で検出された第１領域２ａのサイズ（長辺Ａ及び短辺Ｂの長さ）を、第１記憶部１５（図１参照）に記憶された各媒体の定型サイズデータと比較する比較ステップを実行する。比較部１３での比較結果に基づいて、画像２の媒体が、第１記憶部１５に記憶された媒体のうちのどの媒体であるかが判断できる。
【００４３】
ここでは、画像２における第１領域２ａのサイズは、ラミネート加工されたＩＤカード１のＩＤカード本体１ａのサイズ（長辺Ａ及び短辺Ｂの長さ）に該当する。したがって、比較部１３での比較結果に基づいて、画像入力部１１に入力された画像２は、ラミネート加工されたＩＤカード１の画像であると判断される。
【００４４】
次に、画像処理部１４（図１参照）は、画像２から切り出すＩＤカード１の画像領域を設定して画像データを取得する画像処理ステップを実行する。このとき、画像２におけるＩＤカード１の画像の切り出し範囲（画像領域）は、比較部１３での比較結果に基づいて判断された媒体の種類に応じて設定される。
【００４５】
例えば、媒体がラミネート加工されたＩＤカード１であると判断された場合は、ＩＤカード本体１ａに対応する第１領域２ａだけでなく周縁部分１ｃに対応する第２領域２ｃも含む範囲で、画像２から切り出す必要がある。そこで、画像処理部１４は、図３（ａ）に示すように、第１領域２ａに対して所定の幅Ｄだけ大きい範囲３ａで（第１領域２ａの周囲に亘って所定の幅Ｄだけ拡げて）、画像の切り出しを行う。所定の幅Ｄは、第１領域２ａに対する第２領域２ｃ（ＩＤカード本体１ａに対する周縁部分１ｃ）の幅Ｃよりも大きくなるように、すなわち、ＩＤカード１全体に対応する全体領域２ｂのサイズよりも大きくなるように、適宜設定される。
【００４６】
図３（ｂ）に、画像処理部１４により、画像２から範囲３ａで切り出された画像データとしての画像３を示す。画像３には、第１領域２ａと第２領域２ｃとからなる全体領域２ｂと、その周囲を囲む背景領域３ｄとが含まれる。画像３は、第２記憶部１６に保存される。画像３には、ＩＤカード１に表示された情報が画像データとして含まれる。
【００４７】
一方、媒体がラミネート加工されたＩＤカード１ではないと判断された場合は、周縁部分１ｃのサイズを付加することなく、画像データを切り出すことができる。例えば、媒体がＡ４等の定型紙に印刷された印刷物や小切手であると判断された場合は、画像２からその定型サイズの範囲で画像データが取得される。これにより、多様なサイズの原稿をスキャンする用途において、特定のサイズの媒体にのみ周縁部を含めて画像データを取得することが可能となる。
【００４８】
次に、画像処理部１４は、画像３の輝度レベルを反転させて、図３（ｃ）に示す画像データとしての反転画像４を取得する。すなわち、ポジ（Positive）画像である画像３のネガ（Negative）画像として反転画像４を取得する。反転画像４における第１領域４ａ、第２領域４ｃ、全体領域４ｂ、背景領域４ｄは、それぞれ、画像３における第１領域２ａ、第２領域２ｃ、全体領域２ｂ、背景領域３ｄに対応する。
【００４９】
反転画像４においては、画像３と同様に第１領域４ａと第２領域４ｃとを容易に識別できるとともに、画像３と比べて第２領域４ｃと背景領域４ｄとを識別することが可能となる。そのため、ＩＤカード１全体の輪郭であるフィルム１ｂの輪郭を認識することが可能となる。これにより、画像入力部１１で取得した画像２における媒体は、ラミネート加工されたＩＤカード１であることが確認できる。反転画像４も、第２記憶部１６に保存される。
【００５０】
以上の画像処理の結果、第２記憶部１６に保存された画像３から、目視により、ＩＤカード１の使用者の本人確認を行うことができる。そして、反転画像４から、目視により、ラミネート加工の有無を確認することができる。また、ラミネート加工されていることが確認された場合に、ＩＤカード１は偽造や改ざんされたものではない旨の真贋情報とともに、画像３を保存しておくことができる。
【００５１】
なお、反転画像４で確認できたＩＤカード１全体の輪郭（フィルム１ｂの輪郭）に沿って、画像３及び反転画像４から、さらにＩＤカード１の外形に対応する範囲で画像を切り出して、画像データのサイズがＩＤカード１全体に合わせて補正された画像データを取得し保存することもできる。
【００５２】
以上説明したように、本実施形態に係る画像処理装置及び画像処理方法によれば、以下の効果が得られる。
【００５３】
（１）画像処理部１４は、検出部１２が検出した媒体の第１領域のサイズと第１記憶部１５が記憶する所定のサイズの情報との比較結果に基づいて、読取画像から媒体の画像を切り出す画像領域を設定する。そのため、例えば、検出部１２が検出したＩＤカード本体１ａの領域のサイズから、媒体がラミネート加工されたＩＤカード１等の特定の媒体であると判断される場合に、画像処理部１４は、ラミネート加工されたＩＤカード１の周縁部分１ｃを含むように、画像２から切り出す画像領域を設定することが可能となる。これにより、画像２からラミネート加工されたＩＤカード１全体を含む範囲で画像３を取得することが可能となる。一方、特定の媒体ではないと判断された場合は、ラミネート加工された周縁部のサイズを付加することなく画像データを切り出すことができる。これにより、多様なサイズの原稿をスキャンする用途において、特定のサイズの媒体にのみ周縁部を含めて画像データを取得することが可能となる。
【００５４】
（２）画像２において検出部１２が検出したＩＤカード本体１ａの領域のサイズから媒体がラミネート加工されたＩＤカード１であると判断される場合に、画像２から画像処理部１４が画像３を切り出す画像領域をＩＤカード１全体の領域よりも広く設定することで、ラミネート加工されたＩＤカード１全体を含む範囲で画像３を取得することができる。
【００５５】
（３）背景が黒の場合は、背景とフィルム部はほとんど黒でありその明暗の差の識別を視認することは困難な一方、反転画像においては、白の明暗の差になるが、一般にその識別は黒よりも視認しやすい。例えば、画像３の背景が黒色であり、ラミネート加工されたＩＤカード１の第２領域２ｃと背景領域３ｄとの識別が困難な場合でも、画像３の輝度レベルを反転させることで、第２領域４ｃと背景領域４ｄとを識別すること、すなわち、ラミネート加工の有無を視認することが可能となる。したがって、輝度レベルを反転させた反転画像４に基づいて、画像２から取得された画像３からＩＤカード１全体のサイズに合わせて、サイズが補正された画像データを取得することが可能となる。
【００５６】
（４）輝度レベルを反転させたことでラミネート加工の有無を視認することができる反転画像４と、画像３または画像３からＩＤカード１全体のサイズに合わせてサイズが補正された画像データとを記憶することで、ＩＤカード１に表示された情報とＩＤカード１の真贋情報とを併せて記録することができる。
【００５７】
（５）Ａ４〜ＩＤカードサイズといった汎用的な原稿サイズを取り込めるスキャナーを用いて（あるいは、小切手や帳票等いろいろなサイズをスキャンする業務において）、スキャンした画像データから、原稿領域と背景の分離が必要である場合に、周縁部分に沿ってＩＤカード全体の画像を切り出すことが可能となる。
【００５８】
なお、上述した実施の形態は、あくまでも本発明の一態様を示すものであり、本発明の範囲内で任意に変形及び応用が可能である。
【００５９】
（変形例１）
上述の実施形態では、画像入力部１１で取得した画像２から第１領域２ａに対して所定の幅Ｄだけ大きい範囲３ａで画像３を切り出した後、画像３の輝度レベルを反転させて反転画像４を取得する構成であったが、本発明はこのような構成に限定されない。画像２の輝度レベルを反転させた後に、画像の切り出しを行う構成としてもよい。変形例１の構成を、図４を参照して説明する。図４は、変形例１に係る画像処理装置における画像処理方法を模式的に説明する図である。
【００６０】
図４（ａ）に、画像入力部１１で取得した読取画像である画像２を示す。図４（ａ）の画像２は、図２（ｂ）に示す画像２と同じである。
【００６１】
画像処理部１４は、画像２の輝度レベルを反転させて、図４（ｂ）に示す画像データとしての反転画像５を取得する。反転画像５における第１領域５ａ、第２領域５ｃ、全体領域５ｂ、背景領域５ｄは、それぞれ、画像２における第１領域２ａ、第２領域２ｃ、全体領域２ｂ、背景領域２ｄに対応する。反転画像５においては、画像２と比べて第２領域５ｃと背景領域５ｄとを識別できるので、ＩＤカード１全体（フィルム１ｂ）に対応する全体領域５ｂの輪郭を認識することが可能となる。反転画像５において、例えば、検出部１２により、全体領域５ｂの輪郭を検出する。
【００６２】
次に、画像処理部１４は、画像２から、反転画像５において検出した全体領域５ｂの輪郭に沿った範囲で、画像の切り出しを行う。図４（ｃ）に、画像２から切り出された画像データとしての画像６を示す。変形例１に係る画像処理装置及び画像処理方法によれば、全体領域５ｂの輪郭を認識したうえで画像の切り出しを行うので、ＩＤカード１の外形に沿って画像６の切り出しを行うことができる。したがって、ラミネート加工されたＩＤカード１全体（フィルム１ｂ）の外形とほぼ一致するサイズの画像データを画像６として取得し、保存することができる。
【００６３】
（変形例２）
上述の実施形態では、ＩＤカード１の使用者の氏名や生年月日等の情報を画像情報（画像３または画像６）として保存する構成であったが、本発明はこのような構成に限定されない。画像入力部１１で取得した画像２から、例えば、ＩＤカード１の表面に印刷された情報を読み取った文字情報として保存する構成としてもよい。その場合、ＩＤカード１の真贋情報（ラミネート加工の有無）を、文字情報として一緒に保存することとしてもよい。
【００６４】
（変形例３）
上述の実施形態では、画像処理装置１０はスキャナー２０を含まない構成であったが、本発明はこのような構成に限定されない。本発明に係る画像処理装置は、スキャナー２０を含むスキャナーシステムであってもよい。また、スキャナー２０やプリンター部を備えた記録装置が、本発明の画像処理装置１０の機能を併せ持つ構成であってもよい。さらには、ホスト装置３０が画像処理装置１０の機能を併せ持つ構成であってもよいし、画像処理装置１０の画像処理方法を、プログラムとしてコンパクトディスク、フラッシュＲＯＭ等の記憶媒体に格納し、パーソナルコンピューター等にインストールすることで実行する構成であってもよい。
【００６５】
変形例３の一例としての記録装置を、図５を参照して説明する。図５は、変形例３に係る記録装置の概略構成を説明する図である。詳しくは、図５（ａ）は記録装置の外観を示す正面斜視図であり、図５（ｂ）は記録装置の概略構成を示すブロック図である。
【００６６】
図５（ａ）に示す記録装置としてのプリンター１００は、上部カバー１０１、上部ケース１０２及び下部ケース１０３と、本体１１０とを備えている。プリンター１００の前面には、ＩＤカード１や記録媒体７を挿入あるいは排出する手差口１０４が開口している。本体１１０は、上部カバー１０１、上部ケース１０２及び下部ケース１０３に覆われている。
【００６７】
図５（ｂ）に示すように、本体１１０は、画像処理装置１０と、イメージセンサーを含む光学読取部２１と、磁気読取部４０と、プリンター部５０と、ＣＰＵや記憶部等を含む制御部６０と、搬送機構（図示しない）と、外部インターフェイス７０とを備えている。本体１１０は、外部インターフェイス７０を介して、ホスト装置８０に接続されている。なお、プリンター部５０には、ドットインパクト式のプリンターを用いてもよいし、インクジェット式のプリンターや感熱式のプリンターを用いてもよい。
【００６８】
プリンター１００は、小切手等の記録媒体７が手差口１０４から挿入されると、記録媒体７に記録されたＭＩＣＲ（Magnetic Ink Character Recognition）情報が磁気読取部４０により読み取られ、記録媒体７の表面及び裏面が光学読取部２１より読み取られる。磁気読取部４０により読み取られたデータは制御部６０により解析され、得られた文字データがホスト装置８０に送信される。また、光学読取部２１により読み取られた画像データも、制御部６０によりホスト装置８０に送信される。
【００６９】
ホスト装置８０は、現物の記録媒体７を輸送して処理する代わりに、送信された文字データ及び画像データを受入先から支払先に伝送することによって電子的な決済を行う。小切手等の記録媒体７を電子的に決済する際に、ＩＤカード１を手差口１０４から挿入して、光学読取部２１でＩＤカード１の表面を読み取り、画像処理装置１０により切り出した画像を取得することで、ＩＤカード１に表示された情報を参照して本人確認を行うことができる。また、画像処理装置１０により取得した反転画像から、ラミネートの有無を検出することで、ＩＤカード１が偽造や改ざんされたものではないことの確認を行うことができる。
【符号の説明】
【００７０】
１…ＩＤカード（媒体）、１０…画像処理装置、１１…画像入力部、１２…検出部、１３…比較部、１４…画像処理部、１５…第１記憶部（記憶部）、１６…第２記憶部（記憶部）、２０…スキャナー。
【図１】
2014036244.tif 000003
【図５】
2014036244.tif 000004
【図２】
2014036244.tif 000005
【図３】
2014036244.tif 000006
【図４】
2014036244.tif 000007